(57)【要約】      （修正有）【課題】より確実に蛇の登攀を防止することが可能な蛇登攀防止装置を提供する。【解決手段】蛇登攀防止装置１は、コンクリート製の電柱２の外周に設けられた複数の外周部材３と、外周部材３に電柱２と反対側から螺合された突出部としてのねじ４と、ねじ４に繋がれて電柱２を囲むように設けられた導電線５と、導電線５が繋がれて当該導電線５に電圧を印加する電圧印加装置６と、電圧印加装置６に繋がれたアース線７と、を有している。【選択図】図１
2018117577.tif 000002
【特許請求の範囲】
【請求項１】
電柱の外周に設けられた絶縁部から突出し導電性を有する突出部と、
前記突出部に繋がれた導電線と、
前記導電線に電圧を印加する電圧印加装置と、
を有することを特徴とする蛇登攀防止装置。
【請求項２】
前記突出部は、前記電柱の周方向において互いに間隔を隔てて複数設けられており、
前記導電線は、各々の前記突部間を繋いで前記電柱を周方向に囲んでいることを特徴とする請求項１に記載の蛇登攀防止装置。
【請求項３】
前記電柱はコンクリート製であり、
前記絶縁部として前記電柱の外周に、非導電性の外周部材が設けられていることを特徴とする請求項１または請求項２に記載の蛇登攀防止装置。
【請求項４】
前記導電線と間隔を隔てた位置に、前記導電線と異なる他の導電線が設けられており、
前記他の導電線は接地されていることを特徴とする請求項１〜３のいずれかに記載の蛇登攀防止装置。
【発明の詳細な説明】
【技術分野】
【０００１】
本発明は、蛇の電柱への登攀を防止する蛇登攀防止装置に関する。
【背景技術】
【０００２】
例えば特許文献１には、鉄塔の架空送電線付近において、主柱材の周囲にループ状に巻設したビニル絶縁電線の両端のうちの、一方の端を鉄塔の下部に固定された絶縁体の第１の電極に接続し、他方の端を絶縁体の第２の電極に接続し、誘起電圧が発生している第１の電極と第２の電極とに同時に接触した蛇に電撃をあたえる蛇登攀防止装置が開示されている。
【先行技術文献】
【特許文献】
【０００３】
【特許文献１】特開２０１６−１１９８１０号公報
【発明の概要】
【発明が解決しようとする課題】
【０００４】
上記の蛇登攀防止装置は、蛇が第１の電極と第２の電極とに同時に接触しなければ電撃を与えることができないという課題がある。
そこで、本発明は、より確実に蛇の登攀を防止することが可能な蛇登攀防止装置を提供することを目的とする。
【課題を解決するための手段】
【０００５】
前述した課題を解決する主たる本発明である蛇登攀防止装置は、電柱の外周に設けられた絶縁部から突出し導電性を有する突出部と、前記突出部に繋がれた導電線と、前記導電線に電圧を印加する電圧印加装置と、を有することを特徴とする。
【０００６】
このような蛇登攀防止装置によれば、電柱の外周から突出する突出部を有しているので、蛇が突部を手掛かりとして昇る習性を利用して、突出部に向かって登攀させることが可能である。また、突出部は導電性を有し、繋がれている導電線には電圧印加装置により電圧が印加されているので、蛇が突部に接触したときに突出部と地面とが短絡するので、蛇に電撃を与えることが可能である。このため、より確実に蛇の登攀を防止することが可能である。
【０００７】
かかる蛇登攀防止装置であって、前記突出部は、前記電柱の周方向において互いに間隔を隔てて複数設けられており、前記導電線は、各々の前記突部間を繋いで前記電柱を周方向に囲んでいることを特徴とする。
【０００８】
このような蛇登攀防止装置によれば、電柱の周方向において複数設けられている突出部を繋ぐ導電線が電柱を周方向に囲んでいるので、何れの方向からの蛇の登攀も防止することが可能である。
【０００９】
かかる蛇登攀防止装置であって、前記電柱はコンクリート製であり、前記絶縁部として前記電柱の外周に、非導電性の外周部材が設けられていることを特徴とする。
【００１０】
このような蛇登攀防止装置によれば、導電性を有するコンクリート製の電柱の外周に、非導電性の外周部材が設けられているので、外周部材に設けられ導電性を有する突出部と、コンクリート製の電柱との間が蛇により短絡したときに蛇に電撃を与えることが可能である。このため、地面から離れた位置であっても蛇に電撃を与えることが可能である。
【００１１】
かかる蛇登攀防止装置であって、前記導電線と間隔を隔てた位置に、前記導電線と異なる他の導電線が設けられており、前記他の導電線は接地されていることを特徴とする。
このような蛇登攀防止装置によれば、電圧印加装置に繋がった導電線と接地された他の導電線との間が蛇により繋がったときにも電撃を与えることが可能である。
【発明の効果】
【００１２】
本発明によれば、より確実に蛇の登攀を防止することが可能になる。
【図面の簡単な説明】
【００１３】
【図１】本発明の一実施形態に係る蛇登攀防止装置が電柱に設置された状態を示す外観図である。
【図２】図１におけるＡ−Ａ断面図である。
【図３】外周部材を示す斜視図である。
【発明を実施するための形態】
【００１４】
以下、本発明の一実施形態に係る蛇登攀防止装置について図面を参照して説明する。  
図１は、本発明の一実施形態に係る蛇登攀防止装置が電柱に設置された状態を示す外観図であり、図２は、図１におけるＡ−Ａ断面図であり、図３は、外周部材を示す斜視図である。
【００１５】
図１〜図２に示すように、本実施形態に係る蛇登攀防止装置１は、電柱２に設置されている。
蛇登攀防止装置１は、コンクリート製の電柱２の外周に設けられた複数の外周部材３と、外周部材３に電柱２と反対側から螺合された突出部としてのねじ４と、ねじ４に繋がれて電柱２を囲むように設けられた導電線５と、導電線５が繋がれて当該導電線５に電圧を印加する電圧印加装置６と、電圧印加装置６に繋がれたアース線７と、を有している。
【００１６】
図３に示すように、外周部材３は、合成樹脂などの絶縁材料にて形成され、電柱２の外周面２ａに沿う曲面をなす内面３ａを有する湾曲した板状をなし、電柱２の周方向に沿う幅より、上下方向の長さの方が十分長く形成されている。外周部材３の周方向における幅は、例えば、電柱２の外周面２ａに沿って複数枚（図１の例では８枚）の外周部材３を互いに間隔を隔てて配置したときに、隣り合う外周部材３の間隔が当該外周部材３の幅とほぼ同じになるように形成されている。
【００１７】
外周部材３は、幅方向（電柱２の周方向）に貫通する貫通孔３ｂが、上下の端部側と、上下方向における中央との３箇所に設けられている。この貫通孔３ｂには、外周部材３を電柱２に固定する為に電柱２に巻き付けられる結束バンド８が挿通される。
【００１８】
ねじ４は導電性を有し、外周部材３の外面３ｃに、上下方向に互いに間隔を隔てて、当該外面３ｃから突出するように螺合されている。ねじ４は、外周部材３を貫通しない状態で螺合されているので、ねじ４の先端は電柱２に接触していない。
導電線５は、被覆されていない裸電線であり、電圧印加装置６の正極に接続されている。
【００１９】
また、電圧印加装置６は、電柱２に固定されており、電源、スイッチ、タイマー等を備え、スイッチ操作や、設定されたターマーに従って導電線５に電圧を印加または遮断することが可能である。また、アース線７は、電圧印加装置６の負極と、地中に埋設された電極９との間を繋ぐように接続されている。
【００２０】
蛇登攀防止装置１の複数枚の外周部材３は、電柱２の外周面２ａにその内面３ａを当接させ、各々の貫通孔３ｂに挿通させた３本の結束バンド８を結束することにより、電柱２に保持されている。各々の外周部材３には、上下方向に間隔を隔てて２本のねじ４が螺合されており、各外周部材３の上側に位置している複数本のねじ４、及び、下側に位置している複数本のねじ４が、それぞれ電柱２から略放射状に突出している。
【００２１】
上側に位置するねじ４同士、また、下側に位置するねじ４同士には、それぞれ導電線５が巻き付けられ、導電線５が電柱２を囲むように環状に繋がっている。上側の導電線５と下側の導電線５とは、電柱２の周方向における少なくとも１箇所にて導電線５ａにより繋がっており、上側の導電線５、下側の導電線５、及び、上下の繋ぐ導電線５ａのうちの何れか（図１の例では、下側の導電線５）が電圧印加装置６の正極と接続されることで、これら導電線５の全てに正電圧が印加される。
【００２２】
蛇登攀防止装置１は、電圧印加装置６のスイッチを投入することにより、電柱２を囲む上下の導電線５と、上下の導電線５を繋ぐ導電線５とに電圧が印加され、ねじ４を手掛かりとして蛇が電柱２を登攀したとき、または、上側の導電線５、下側の導電線５、及び、上下の繋ぐ導電線５の何れかに接触したときに、蛇を通して電流が流れ、蛇に電撃を与えることとなる。
【００２３】
本実施形態の蛇登攀防止装置１によれば、電柱２の外周からねじ４が突出しているので、蛇が突部を手掛かりに昇る習性を利用して、蛇を電柱に登攀させることが可能である。そして、ねじ４は導電性を有し、ねじ４に繋がれた導電線５には電圧印加装置６により電圧が印加されており、電柱２を構成するコンクリートも一定の電導性を有している。このため、蛇がねじ４に接触したときにねじ４から蛇及び電柱のコンクリートを介して地面に電流が流れることで、蛇に電撃を与えることが可能である。このため、より確実に蛇の登攀を防止することが可能である。
【００２４】
また、電柱２の周方向において複数設けられているねじ４を繋ぐ導電線５が電柱２を周方向に囲んでいるので、何れの方向からの蛇の登攀も防止することが可能である。
【００２５】
また、本実施形態では導電性を有するコンクリート製の電柱２の外周に、絶縁部材である外周部材３が設けられているので、外周部材３に設けられ導電性を有するねじ４及び導電線５と、コンクリート製の電柱２との間が蛇により短絡したときにも蛇に電撃を与えることが可能である。このため、地面から離れた位置であってもコンクリートの電柱２を通して接地して蛇に電撃を与えることが可能である。
【００２６】
上記実施形態においては、電柱２から略放射状に突出させたねじ４に導電線５を、電柱２を囲むように環状に繋げた例について説明したが、必ずしも環状に繋がっていなくともよい。例えば、電柱に外周部材を介して突出しいる１本のねじに、電圧印加装置と繋がった導電線が繋がっていてもよい。この場合であっても、ねじを手掛かりに昇る蛇に電撃を与えることが可能である。
また、ねじ４に限らず、外周部材３から突出する導電性部材を設けてもよい。
【００２７】
また、上記実施形態においては、上下方向の２箇所に、電柱２を囲むように環状に繋げた導電線５を上下に繋いだ例について説明したが、これに限らず、上下方向の１箇所に設けても、また、２本の導電線のうちの、一方を電圧印加装置に接続し、他方を接地しても構わない。また、導電線を上下方向において３本以上設け、互いに隣り合う２本の導電線のうちの、一方を電圧印加装置に接続し、他方を接地しても構わない。
【００２８】
上記実施形態においては、電柱２をコンクリート製としたが、これに限らず、例えば、木製や、合成樹脂製など絶縁部材により製造された電柱であっても構わない。この場合には、電柱の表面自体が絶縁部なので、電柱に導電性のねじ等を直接螺合し導電線を繋いでも構わない。この場合には、蛇により地面と導電線とが短絡可能な程度に、導電線を低い位置に配置するか、又は、接地された導電線を、電圧印加装置に接続された導電線と適宜間隔を隔てて設けることが望ましい。
【００２９】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００３０】
１  蛇登攀防止装置
２  電柱
２ａ  外周面
３  外周部材
３ａ  内面
３ｂ  貫通孔
３ｃ  外面
４  ねじ
５  導電線
５ａ  導電線
６  電圧印加装置
７  アース線
８  結束バンド
９  電極
【図１】
2018117577.tif 000003
【図２】
2018117577.tif 000004
【図３】
2018117577.tif 000005